【事件の表示】
　特願２０１３−　１８６３６「盗難自己検知システム、利用者端末、盗難自己検知方法、及びプログラム」拒絶査定不服審判事件〔平成２６年　８月２１日出願公開、特開２０１４−１４９７２９、請求項の数（１２）〕について、次のとおり審決する。
【結　論】
　原査定を取り消す。
　本願の発明は、特許すべきものとする。
【理　由】
第１　手続の経緯
　
　本願は，平成２５年２月１日の出願であって，平成２８年１０月２５日付けで拒絶理由通知がされ，平成２８年１２月２１日付けで意見書が提出されるとともに手続補正がされ，平成２９年１月１１日付けで拒絶査定（原査定）がされ，これに対し，平成２９年４月１３日に拒絶査定不服審判の請求がされると同時に手続補正がされ，平成３０年１月２９日付けで拒絶理由通知がされ，平成３０年３月２０日付けで意見書が提出されるとともに手続補正がされたものである。
　
　
第２　本願発明
　本願請求項１−１２に係る発明（以下，それぞれ「本願発明１」−「本願発明１２」という。）は，平成３０年３月２０付けの手続補正で補正された特許請求の範囲の請求項１−１２に記載された事項により特定される発明であり，本願発明１−１２は以下のとおりの発明である。
「　【請求項１】
　シンクライアントシステムの利用者端末と，
　前記利用者端末に対して認証を行う認証サーバと
を含み，
　前記利用者端末は，自機の起動時に，自機の位置を確認し，事前に登録されたエリア外に自機があると認識すると起動を中止し，事前に登録されたエリア内に自機があると認識すると前記認証サーバへの接続を試み，前記認証サーバに接続できないと起動を中止し，自機が使用状態である時に，自機の移動を検知した場合，自己判断にて異常と判断し，異常時の処置として事前に登録されたサーバに端末のデータの送信を行い，前記利用者端末に割り当てられたサーバ上の仮想デスクトップを消去する
　盗難自己検知システム。
　　【請求項２】
　請求項１に記載の盗難自己検知システムであって，
　前記利用者端末は，前記異常時の処置として，前記利用者端末をロックして，ユーザ認証を行い，正常に認証された場合，前記利用者端末のロックを解除し，正常に認証されなかった場合，前記利用者端末の内部のデータを消去する
　盗難自己検知システム。
　　【請求項３】
　請求項１に記載の盗難自己検知システムであって，
　前記利用者端末は，前記異常時の処置として，前記利用者端末の停止又は再起動を行う
　盗難自己検知システム。
　　【請求項４】
　請求項１に記載の盗難自己検知システムであって，
　前記利用者端末は，前記異常時の処置として，前記認証サーバに接続できるか確認し，前記認証サーバに接続できない場合，前記利用者端末の停止又は再起動を行う
　盗難自己検知システム。
　　【請求項５】
　請求項１に記載の盗難自己検知システムであって，
　前記利用者端末は，前記異常時の処置として，事前に登録されたエリア内に自機があるか確認し，事前に登録されたエリア内に自機がない場合，前記利用者端末の停止又は再起動を行う
　盗難自己検知システム。
　　【請求項６】
　自機の起動時に，自機の位置を確認し，事前に登録されたエリア外に自機があると認識すると起動を中止する手段と，
　前記エリア内に自機があると認識すると認証サーバへの接続を試み，前記認証サーバに接続できないと起動を中止する手段と，
　自機が使用状態である時に，自機の移動を検知した場合，自己判断にて異常と判断し，異常時の処置として事前に登録されたサーバに端末のデータの送信を行い，自機に割り当てられたサーバ上の仮想デスクトップを消去する手段と
を具備する
　シンクライアントシステムの利用者端末。
　　【請求項７】
　請求項６に記載の利用者端末であって，
　前記異常時の処置を行う手段は，前記利用者端末をロックして，ユーザ認証を行い，正常に認証された場合，前記利用者端末のロックを解除し，正常に認証されなかった場合，前記利用者端末の内部のデータを消去する
　利用者端末。
　　【請求項８】
　請求項６に記載の利用者端末であって，
　前記異常時の処置を行う手段は，前記利用者端末の停止又は再起動を行う
　利用者端末。
　　【請求項９】
　請求項６に記載の利用者端末であって，
　前記異常時の処置を行う手段は，前記認証サーバに接続できるか確認し，前記認証サーバに接続できない場合，前記利用者端末の停止又は再起動を行う
　利用者端末。
　　【請求項１０】
　請求項６に記載の利用者端末であって，
　前記異常時の処置を行う手段は，事前に登録されたエリア内に自機があるか確認し，事前に登録されたエリア内に自機がない場合，前記利用者端末の停止又は再起動を行う
　利用者端末。
　　【請求項１１】
　シンクライアントシステムの計算機により実施される盗難自己検知方法であって，
　自機の起動時に，自機の位置を確認し，事前に登録されたエリア外に自機があると認識すると起動を中止することと，
　前記エリア内に自機があると認識すると認証サーバへの接続を試み，前記認証サーバに接続できないと起動を中止することと，
　自機が使用状態である時に，自機の移動を検知した場合，自己判断にて異常と判断し，異常時の処置として事前に登録されたサーバに端末のデータの送信を行い，自機に割り当てられたサーバ上の仮想デスクトップを消去することと
を含む
　盗難自己検知方法。
　　【請求項１２】
　自機の起動時に，自機の位置を確認し，事前に登録されたエリア外に自機があると認識すると起動を中止するステップと，
　前記エリア内に自機があると認識すると認証サーバへの接続を試み，前記認証サーバに接続できないと起動を中止するステップと，
　自機が使用状態である時に，自機の移動を検知した場合，自己判断にて異常と判断し，異常時の処置として事前に登録されたサーバに端末のデータの送信を行い，自機に割り当てられたサーバ上の仮想デスクトップを消去するステップと
をシンクライアントシステムの計算機に実行させるための
　プログラム。」
第３　引用文献，引用発明等
１．引用文献１について
　原査定の拒絶の理由に引用された引用文献１（特開２０１０−１６０７９５号公報）には，図面とともに次の事項が記載されている。（下線は当審により付与。以下同じ。）
Ａ．「【発明の概要】
【発明が解決しようとする課題】
【０００３】
　たとえ既存のプラットフォームが，電源オン・パスワード，スクリーンセーバー・パスワード，及びネットワークログイン・チャレンジを有する保護下にあるとしても，何らもユーザ判断の意図的でない過失からプラットフォームを保護することはできない。パスワードが盗まれ，又は捕らえられて，権限のない者がデバイスにアクセスすることを許すことがある。判断の過失の例は，無人のラップトップ型コンピュータの盗難や，ユーザが適当なパスワード保護手段を用いることを選択しないこと等に関するものである。
【０００４】
　本発明は，このような問題を鑑みなされたものであり，場所に基づくデータにより更なる安全性をプラットフォームに提供可能なシステム及び方法を提供することを目的とする。
【課題を解決するための手段】
【０００５】
　上記目的を達成するために，本発明の実施形態に係るシステムは，
不正アクセスからコンピュータプラットフォームを保護するシステムであって，ポジショニング装置からロケーションベースの情報を受け取るよう第１の無線通信装置へ結合されるホストプロセッサと，前記コンピュータプラットフォームが少なくとも前記ポジショニング装置から受け取ったロケーションベースの情報と所定のプラットフォームポリシーとに基づいて動作のために権限を付与されることを確認するようにブート中に実行されるよう構成されるファームウェアサービスと，ブート後に実行されるよう構成され，前記コンピュータプラットフォームが少なくとも前記ポジショニング装置から受け取ったロケーションベースの情報と所定のプラットフォームポリシーとに基づいて動作のために権限を付与されることを確認するよう構成されるランタイムサービスとを有する
　
Ｂ．「【００１５】
　図１は，本発明の実施形態に従う，場所に基づくコンポーネントを伴うプラットフォームを有する極めて高レベルのシステムを表すブロック図である。実施形態で，プラットフォーム１０１はＲＦ装置１０３へ結合されている。ＲＦ装置１０３は，グローバルポジショニング衛星（ＧＰＳ）システム１０７からロケーション情報を受け取るよう構成されてよい。他の実施形態で，例えば，プラットフォームが安全な建物内に置かれている場合に，その建物内の一部の部屋でしかプラットフォームが使用されないことが重要であることがある。従って，ロケーションは依然として重要である。この場合に，ＲＦ装置１０３は，建物内に置かれており且つ衛星１０７より限定された範囲を有する更なる局所ポジショニング装置と通信を行ってよい。いずれの場合にも，ＲＦ装置１０３は，ポジショニング装置からロケーションベースの情報を受け取る。
【００１６】
　実施例で，
プラットフォーム１０１は，自身が既知のネットワーク１０９へ接続され，又はその範囲内にあるのかどうかを検出することができる
既知の／なじみの環境の欠如は，プラットフォーム１０１に，追加のユーザ１０５の照合を必要としうる代替のブート経路へとブートさせる
【００１７】
　実施例で，プラットフォーム１０１は，帯域外通信１１１が可能な管理可能性エンジン又はマイクロプロセッサ（例えば，インテル（登録商標）・アクティブ・マネージメント・テクノロジ（ＩＡＭＴ））を備えられてよい。この帯域外ネットワーク接続性は，権限付与を伴わずにブートされるよう試みているシステムに関連する潜在的な安全性の問題を，遠く離れた当局に警告することができる。
【００１８】
　プラットフォームに基づくヒューリスティックス（heuristics）（例えば，パスワード確認によらない侵入検出，場所に基づく動作，等）を用いることによって，プラットフォーム１０１は，プラットフォームの使用を阻止するよう代替のブート経路を自動的に立ち上げるとともに，場合によっては，プラットフォームが権限なく使用されていることを中央の当局に警告するように，自身の動作を変更してよい。ヒューリスティックスには，ネットワーク１０９の検出，ポジショニング・ソース１０７からのロケーション，又はＲＦＩＤを有するセキュリティ装置１２０（例えば，権限のあるユーザを検出するためのキーフォッブ１２１若しくはバッジ１２３又はバイオメトリック読取器１２５）が含まれうる。他の受動的又は能動的なセキュリティ装置が使用されてよい。プラットフォームポリシーは，検出されたパラメータに基づいて，どの代替ブート経路が開始すべきかと，警告が送られるべきかどうか，又はユーザによるチャレンジが実行されるべきかどうかとを決定づける。
　・・・（中略）・・・
【００２１】
　これと同じ解決法は
様々なタイプのプラットフォームに適用可能
ラップトップ型コンピュータが（例えば，自動車，空港等から）盗難されたとしても，窃盗犯がシステムを使用しようとした場合に，システムが適切な近接応答識別の欠如によりブートしない
デスクトップ型システムについて，プラットフォームポリシーは，ユーザがユーザ自身の作業スペース若しくはオフィス又は旅行者のワークステーションエリアにあるコンピュータを操作する権限を与えられるが，他のユーザの作業領域にあるコンピュータを操作する権限は与えられないことを定めてよい
【００２２】
　図２は，本発明の実施形態に従う場
所センサについて基本ロジック
Ｐｏｗｅｒ
ｒ
は，セキュリティ装置の検出された強さ若しくは電力，又は距離／場所の閾値を表す
キーフォッブがプラットフォームの所定範囲内で検出される場合は，Ｐｏｗｅｒ
ｒ
は閾値より大きい
【００２３】
　実施例で，
Ｐｏｗｅｒ
ｒ
が閾値より大きく且つ識別子が正確である場合
は
正常な動作が許可される
Ｐｏｗｅｒ
ｒ
が閾値より大きく且つ識別子が正確でなく
更に，プラットフォームがブートしようとしている場合は
ブートは禁止され，あるいは代替のブート経路についてのみ許可されてよい
Ｐｏｗｅｒ
ｒ
が閾値より大きく且つ識別子が正確でなく，更に，プラットフォームがプリブート
フェーズにない場合は
セッションがロックアップされる
【００２４】
　
Ｐｏｗｅｒ
ｒ
が閾値より小さく（例えば，範囲外又は無許可のロケーション）且つプラットフォームがプリブートフェーズを試みている場合は
プラットフォームがブートすることを禁止される
Ｐｏｗｅｒ
ｒ
が閾値より小さく
且つプラットフォームがプリブートフェーズにない場合は
セッションがロックアップされる
Ｃ．「【００２６】
　図４は，本発明の実施形態に従う，プラットフォームを保護するために場所に基づく情報を使用する例となる方法を示すフロー図である。ブート処理の間，プラットフォームはブロック４０１で起動を開始する。ポリシーエンジンが実行されるブート中の時点は，処理がオペレーティングシステム（ＯＳ）の立ち上げ前に実行される限り，様々であってよい。言い換えると，以下で論じられる当該処理は，ＯＳの立ち上げ前に，ファームウェア又はＢＩＯＳによって実行されてよい。ブロック４０３で，プラットフォームが場所に基づくセキュリティを有効にしたかどうかについての判断がされる。セキュリティ機能が有効にされていない場合は，ブロック４０５で，プラットフォームはターゲットへとブートする。
　・・・（中略）・・・
【００３１】
　ブロック４１７で，強制的なチャレンジ応答セキュリティが有効にされているかどうかについての判断がされる。このセキュリティ対策が有効にされていない場合は，ブロック４１９で，ブートターゲットはＯＳ又はアプリケーションを立ち上げてよい。セキュリティ対策が有効にされている場合は，処理はブロック４２１に続く。実施例で，
各プラットフォームは，認可されたネットワークに知られている一意の識別子を有する
プラットフォーム識別子（ＩＤ）は，要求パケットとともにネットワークへ送信されてよい
要求パケットは，単に，ネットワークに応答を求めるものであってよい
応答が現れる場合は
ネットワークサーバは認証してよい
　
　したがって，上記引用文献１には次の発明（以下，「引用発明」という。）が記載されていると認められる。
　
「不正アクセスからコンピュータプラットフォームを保護するシステムであって，
　ポジショニング装置からロケーションベースの情報を受け取るよう第１の無線通信装置へ結合されるホストプロセッサと，前記コンピュータプラットフォームが少なくとも前記ポジショニング装置から受け取ったロケーションベースの情報と所定のプラットフォームポリシーとに基づいて動作のために権限を付与されることを確認するようにブート中に実行されるよう構成されるファームウェアサービスと，ブート後に実行されるよう構成され，前記コンピュータプラットフォームが少なくとも前記ポジショニング装置から受け取ったロケーションベースの情報と所定のプラットフォームポリシーとに基づいて動作のために権限を付与されることを確認するよう構成されるランタイムサービスとを有し，
　プラットフォームは，自身が既知のネットワークへ接続され，又はその範囲内にあるのかどうかを検出することができ，既知の／なじみの環境の欠如は，上記プラットフォームに，追加のユーザの照合を必要としうる代替のブート経路へとブートさせるものであり，
　適用可能な様々なタイプのプラットフォームとして，ラップトップ型コンピュータである場合は，（例えば，自動車，空港等から）盗難されたとしても，窃盗犯がシステムを使用しようとした場合に，システムが適切な近接応答識別の欠如によりブートせず，また，デスクトップ型システムである場合は，プラットフォームポリシーは，ユーザがユーザ自身の作業スペース若しくはオフィス又は旅行者のワークステーションエリアにあるコンピュータを操作する権限を与えられるが，他のユーザの作業領域にあるコンピュータを操作する権限は与えられないよう定められ，
　場所センサについての基本ロジックとして，セキュリティ装置の検出された強さ若しくは電力，又は距離／場所の閾値を表すＰｏｗｅｒｒに関し，キーフォッブがプラットフォームの所定範囲内で検出される場合は，Ｐｏｗｅｒｒは閾値より大きく，
　　Ｐｏｗｅｒｒが閾値より大きく且つ識別子が正確である場合は，正常な動作が許可され，
　　Ｐｏｗｅｒｒが閾値より大きく且つ識別子が正確でなく，更に，プラットフォームがブートしようとしている場合は，ブートは禁止され，あるいは代替のブート経路についてのみ許可され，
　　Ｐｏｗｅｒｒが閾値より大きく且つ識別子が正確でなく，更に，プラットフォームがプリブートフェーズにない場合は，セッションがロックアップされ，
　　Ｐｏｗｅｒｒが閾値より小さく，例えば，範囲外又は無許可のロケーションであり，且つプラットフォームがプリブートフェーズを試みている場合は，プラットフォームがブートすることを禁止され，
　　Ｐｏｗｅｒｒが閾値より小さく且つプラットフォームがプリブートフェーズにない場合は，セッションがロックアップされる，よう定められ，
　プラットフォームが有する認可されたネットワークに知られている一意の識別子は，要求パケットとともにネットワークへ送信されるものであり，要求パケットは，ネットワークに応答を求めるものであり，応答が現れる場合は，ネットワークサーバが認証する，
　システム。」
２．引用文献２について
　また，原査定の拒絶の理由において引用された引用文献２（特開２００３−２４２０４１号公報）の段落【００３９】−段落【００４４】及び第３図の記載からみて，当該引用文献２には，ノート型パソコンが所定のエリア内にないことを検出すると，現使用者の認証を行い，現使用者が正規の使用者であるとの認証ができなければ，ノート型パソコンのハードディスク内のデータを消去する，という技術的事項が記載されていると認められる。
３．引用文献３について
　また，原査定の拒絶の理由において引用された引用文献３（特開２０１２−２３４５３１号公報）の段落【００５８】−段落【００５９】及び第６図の記載からみて，当該引用文献３には，情報端末において，紛失または盗難が検出されると，情報端末の再起動を行う，という技術的事項が記載されていると認められる。
４．引用文献４について
　また，原査定の拒絶の理由において引用された引用文献４（特開２００９−１０９９４０号公報）の段落【００３６】−段落【００３８】及び第３図の記載からみて，当該引用文献４には，プロジェクタが所定の使用位置または使用範囲にないと判断されると，管理サーバに情報を送信し，送信が成立しない場合には，プロジェクタの機能を停止させる，という技術的事項が記載されていると認められる。
５．引用文献５について
　
　また，原査定において引用された引用文献５（米国特許出願公開第２０１３／００１９３０４号明細書）の段落【００５９】−段落【００６４】及びＦＩＧ．１の記載からみて，当該引用文献５には，電子デバイスが自身の盗難等による異常を検出すると，所定の連絡先に通知したり，指定のサーバにデバイス上の情報のバックアップを行ったり，デバイス上の情報を消去する，という技術的事項が記載されていると認められる。
　
６．引用文献６について
　
　また，原査定において引用された引用文献６（特開２００２−２１６０９９号公報）の【請求項１１】，【請求項１３】，段落【０００５】の記載からみて，当該引用文献６には，携帯型データ記録端末において，盗難等の異常を検出すると，記録されたデータや現在の操作に関する情報を外部の送信先に転送する，という技術的事項が記載されていると認められる。
　
　
第４　対比・判断
　
１．本願発明１について
（１）対比
　本願発明１と引用発明とを対比する。
ア．引用発明の「コンピュータプラットフォーム」は，「適用可能な様々なタイプのプラットフォームとして，ラップトップ型コンピュータである場合は，（例えば，自動車，空港等から）盗難されたとしても，窃盗犯がシステムを使用しようとした場合に，システムが適切な近接応答識別の欠如によりブートせず，また，デスクトップ型システムである場合は，プラットフォームポリシーは，ユーザがユーザ自身の作業スペース若しくはオフィス又は旅行者のワークステーションエリアにあるコンピュータを操作する権限を与えられるが，他のユーザの作業領域にあるコンピュータを操作する権限は与えられないよう定められ」るものであることから，ユーザが利用する端末であることは明らかであり，本願発明１の「利用者端末」に相当する。
　
イ．引用発明は，「プラットフォームが有する認可されたネットワークに知られている一意の識別子は，要求パケットとともにネットワークへ送信されるものであり，要求パケットは，ネットワークに応答を求めるものであり，応答が現れる場合は，ネットワークサーバが認証する」ものであるから，「ネットワークサーバ」は，「コンピュータプラットフォーム」を認証するものであるといえ，本願発明１の「認証サーバ」に相当する。
　
ウ．引用発明は，「不正アクセスからコンピュータプラットフォームを保護するシステム」であって，「プラットフォームは，自身が既知のネットワークへ接続され，又はその範囲内にあるのかどうかを検出する」ものであるところ，上記ア．のとおり，適用可能なタイプとして，「ラップトップ型コンピュータである場合は，（例えば，自動車，空港等から）盗難されたとしても，窃盗犯がシステムを使用しようとした場合に，システムが適切な近接応答識別の欠如によりブート」しないものであることから，コンピュータプラットフォームの盗難を自身で検出するものであるといえる。
　そうすると，上記ア．およびイ．を踏まえれば，本願発明１である，「シンクライアントシステムの利用者端末と，前記利用者端末に対して認証を行う認証サーバとを含」む「盗難自己検知システム」と，引用発明である，「コンピュータプラットフォーム」および「ネットワークサーバ」を有する「システム」とは，“利用者端末と，前記利用者端末に対して認証を行う認証サーバとを含”む“盗難自己検知システム”である点で共通する。
　
エ．引用発明は，「Ｐｏｗｅｒｒが閾値より小さく，例えば，範囲外又は無許可のロケーションであり，且つプラットフォームがプリブートフェーズを試みている場合は，プラットフォームがブートすることを禁止され」るものであり，この場合の「プリブートフェーズを試みている場合」とは，本願発明１における「自機の起動時」に相当し，また，上記引用発明の，「Ｐｏｗｅｒｒが閾値より小さ」いと判断されることは，「範囲外又は無許可のロケーション」であることになるから，本願発明１の，「自機の位置を確認し，事前に登録されたエリア外に自機があると認識」されることに相当する。
　そうすると，引用発明の，「Ｐｏｗｅｒｒが閾値より小さく，例えば，範囲外又は無許可のロケーションであり，且つプラットフォームがプリブートフェーズを試みている場合は，プラットフォームがブートすることを禁止され」ることは，本願発明１の，「前記利用者端末は，自機の起動時に，自機の位置を確認し，事前に登録されたエリア外に自機があると認識すると起動を中止」することに相当する。
オ．引用発明は，「Ｐｏｗｅｒｒが閾値より大きく且つ識別子が正確でなく，更に，プラットフォームがブートしようとしている場合は，ブートは禁止され，あるいは代替のブート経路についてのみ許可され」るものであり，この場合の「Ｐｏｗｅｒｒが閾値より大き」いと判断されることは，「キーフォッブがプラットフォームの所定範囲内で検出される場合」であることになるから，本願発明１の，「事前に登録されたエリア内に自機があると認識」されることに相当する。
　また，引用発明は，上記のとおり「Ｐｏｗｅｒｒが閾値より大きく且つ識別子が正確でなく，更に，プラットフォームがブートしようとしている場合は，ブートは禁止され」るものであるから，「Ｐｏｗｅｒｒが閾値より大き」いと判断されると，「プラットフォームがブートしようとし」て，識別子をもとに認証サーバに接続を試み，その上で「識別子が正確でな」いことから，認証サーバに接続できず，「ブートは禁止され」たものと解される。
　そうすると，引用発明の，「Ｐｏｗｅｒｒが閾値より大きく且つ識別子が正確でなく，更に，プラットフォームがブートしようとしている場合は，ブートは禁止され，あるいは代替のブート経路についてのみ許可され」ることは，本願発明１の，「事前に登録されたエリア内に自機があると認識すると前記認証サーバへの接続を試み，前記認証サーバに接続できないと起動を中止」することに相当する。
　したがって，本願発明１と引用発明との間には，次の一致点，相違点があるといえる。
（一致点）
　「利用者端末と，
　前記利用者端末に対して認証を行う認証サーバと
を含み，
　前記利用者端末は，自機の起動時に，自機の位置を確認し，事前に登録されたエリア外に自機があると認識すると起動を中止し，事前に登録されたエリア内に自機があると認識すると前記認証サーバへの接続を試み，前記認証サーバに接続できないと起動を中止する，
　盗難自己検知システム。」
　
（相違点）
（相違点１）
　利用者端末に関し，
　本願発明１は「シンクライアントシステム」の利用者端末であるのに対し，引用発明はそのような構成を備えていない点。
（相違点２）
　本願発明１は「自機が使用状態である時に，自機の移動を検知した場合，自己判断にて異常と判断し，異常時の処置として事前に登録されたサーバに端末のデータの送信を行い，前記利用者端末に割り当てられたサーバ上の仮想デスクトップを消去する」という構成を備えるのに対し，
　引用発明はそのような構成を備えていない点。
（２）相違点についての判断
　
　事案に鑑みて，上記相違点２について先に検討すると，相違点２に係る本願発明１の，「自機が使用状態である時に，自機の移動を検知した場合，自己判断にて異常と判断し，異常時の処置として事前に登録されたサーバに端末のデータの送信を行い，前記利用者端末に割り当てられたサーバ上の仮想デスクトップを消去する」という構成は，上記引用文献１−６には記載されておらず，本願出願前において周知技術であるともいえない。
　したがって，本願発明１は，相違点１を検討するまでもなく，当業者であっても引用発明，引用文献１−６に記載された技術的事項，および周知技術に基づいて容易に発明できたものであるとはいえない。
　
　
２．本願発明２−５について
　
　本願発明２−５は，本願発明１を減縮したもので，本願発明１の「自機が使用状態である時に，自機の移動を検知した場合，自己判断にて異常と判断し，異常時の処置として事前に登録されたサーバに端末のデータの送信を行い，前記利用者端末に割り当てられたサーバ上の仮想デスクトップを消去する」と同一の構成を備えるものであるから，本願発明１と同じ理由により，当業者であっても引用発明，引用文献１−６に記載された技術的事項，および周知技術に基づいて容易に発明できたものであるとはいえない。
３．本願発明６，１１，１２について
　
　本願発明６，１１，１２は，本願発明１に対応する利用者端末，方法，プログラムの発明であり，本願発明１の「自機が使用状態である時に，自機の移動を検知した場合，自己判断にて異常と判断し，異常時の処置として事前に登録されたサーバに端末のデータの送信を行い，前記利用者端末に割り当てられたサーバ上の仮想デスクトップを消去する」に対応する構成を備えるものであるから，本願発明１と同様の理由により，当業者であっても引用発明，引用文献１−６に記載された技術的事項，および周知技術に基づいて容易に発明できたものであるとはいえない。
４．本願発明７−１０について
　
　本願発明７−１０は，本願発明６を減縮したもので，本願発明１の「自機が使用状態である時に，自機の移動を検知した場合，自己判断にて異常と判断し，異常時の処置として事前に登録されたサーバに端末のデータの送信を行い，前記利用者端末に割り当てられたサーバ上の仮想デスクトップを消去する」に対応する構成を備えるものであるから，本願発明１と同じ理由により，当業者であっても引用発明，引用文献１−６に記載された技術的事項，および周知技術に基づいて容易に発明できたものであるとはいえない。
第５　原査定の概要及び原査定についての判断
　原査定は，請求項１−１２について上記引用文献１−６に基づいて，当業者が容易に発明できたものであるから，特許法第２９条第２項の規定により特許を受けることができないというものである。しかしながら，平成２９年４月１３日付け及び平成３０年３月２０日付け手続補正により補正された結果，請求項１，６，１１，１２は，それぞれ「自機が使用状態である時に，自機の移動を検知した場合，自己判断にて異常と判断し，異常時の処置として事前に登録されたサーバに端末のデータの送信を行い，前記利用者端末に割り当てられたサーバ上の仮想デスクトップを消去する」という事項，または対応する構成を有するものとなっており，上記のとおり，本願発明１−１２は，上記引用発明，引用文献１−６に記載された技術的事項，および周知技術に基づいて，当業者が容易に発明できたものではない。したがって，原査定を維持することはできない。
　
　
第６　当審拒絶理由について
　
１．特許法第３６条第６項第１号について
　当審では，請求項１に記載の「盗難自己検出システム」は，使用中における電源線の強制引抜等によって端末を持ち去るような場合には，「シンクライアント」端末中にデータが残ることになってデータ不正取得は防ぎ得ないから，本願発明の課題（端末内部のデータの不正取得防止）の解決手段が反映されていないこととなり，発明の詳細な説明に記載の範囲を超えて請求するものであるとの拒絶の理由を通知しているが，平成３０年３月２０日付けの意見書における，「本願請求項１，６，１１，１２に記載の利用者端末には，サーバ上の仮想デスクトップが割り当てられ，この仮想デスクトップの演算結果を受信し，表示を行うものであることは明らかです。つまり，仮想デスクトップはサーバ上で動作するため，データはすべてサーバ上に保存されます。言い換えると，利用者端末のハードディスクにはデータは一切存在せず，利用者端末の電源断の後は，利用者端末にデータが残ることはありません。これは，使用中に電源線を強制引抜等した場合も同様です。」との釈明により解消した。
　
２．特許法第３６条第４項第１号について
　当審では，発明の詳細な説明の記載についても，上記１．と同様に，使用中における電源線の強制引抜等によって端末を持ち去るような場合に，データの不正取得をどのように防止するかについて，当業者が実施できる程度に明確かつ十分に記載されているとはいえないとの拒絶の理由を通知しているが，上記１．で引用した平成３０年３月２０日付けの意見書における釈明により解消した。
第７　むすび
　以上のとおり，本願発明１−１２は，当業者が引用発明，引用文献１−６に記載された技術的事項，および周知技術に基づいて容易に発明をすることができたものではない。
　したがって，原査定の理由によっては，本願を拒絶することはできない。
　また，他に本願を拒絶すべき理由を発見しない。
　よって，結論のとおり審決する。